(57)【特許請求の範囲】
【請求項１】
格子状に分割された区画毎にコンクリートを打設するコンクリート構造体の構築方法において、
コンクリートを打設した第１区画の互いに隣り合う外周面側にそれぞれ隣接する第２区画及び第３区画に型枠を組み立てるに際し、
型枠継板部とパネル支持板部とからなる断面Ｌ字状のＬ字状部材を使用し、
前記型枠継板部が前記第１区画のコンクリートの第３区画側端面と連続し、且つ、前記パネル支持板部が第２区画側に配置されるように前記Ｌ字状部材を前記第２区画と第３区画とが交わる隅部に設置し、
前記パネル支持板部に第２区画用型枠パネルの側端面を前記パネル支持板部に当接させた状態で着脱可能に固定するとともに、第３区画用型枠パネルの側端面を前記型枠継板部に突き合わせた状態に設置することを特徴とするコンクリート構造体の構築方法。
【請求項２】
前記第１区画に打設したコンクリートを養生しつつ、前記Ｌ字状部材を、第２区画側の第１区画用型枠パネルの側端面と第３区画側の第１区画用型枠パネルの側端面とが成す隅部であって前記第２区画と第３区画とが交わる隅部に、前記第２区画側の第１区画用型枠パネルの側端面に前記型枠継板部を当接させた状態に設置するとともに、前記第２区画用型枠パネル及び第３区画用型枠パネルを設置し、
然る後、前記第２区画側及び第３区画側の第１区画用型枠パネルを脱型して前記第２区画及び第３区画にコンクリートを打設する請求項１に記載のコンクリート構造体の構築方法。
【請求項３】
前記第２区画に打設したコンクリートを養生しつつ、前記第３区画にコンクリートを打設し、然る後、前記第３区画に打設したコンクリートの養生中に前記第２区画用型枠パネルを脱型する請求項１又は２に記載のコンクリート構造体の構築方法。
【請求項４】
前記型枠継板部の幅を前記第３区画用型枠パネルの厚みより広く形成し、前記第３区画用型枠パネルの厚み方向設置位置を前記型枠継板に沿って調節する請求項１〜３の何れか１項に記載のコンクリート構造体の構築方法。
【請求項５】
前記Ｌ字状部材を前記型枠継板部の一部が前記第３区画側端面に被さるように設置した請求項１〜４の何れか１項に記載のコンクリート構造体の構築方法。
【請求項６】
前記型枠継板部の幅を前記第２区画用型枠パネルの設置位置に合わせて調節しておく請求項１〜５の何れか１項に記載のコンクリート構造体の構築方法。
【発明の詳細な説明】
【技術分野】
【０００１】
本発明は、コンクリート打設範囲を格子状に分割した区画毎に現場打ちコンクリートを打設するコンクリート構造体の構築方法に関する。
【背景技術】
【０００２】
従来、広範囲に亘りコンクリートを打設する際は、コンクリートの打設範囲を例えば、図９に示すように複数の区画Ａ〜Ｄに分割し、区画毎に順次コンクリートを打設しつつ、互いに隣接する区画間でコンクリートを打ち継ぐようになっている（例えば、特許文献１を参照）。
【０００３】
図９に示すように格子状に分割された各区画Ａ〜Ｄにコンクリートを打設する場合には、先ず、ある区画（以下、第１区画という）Ａを囲むように型枠パネルを設置して矩形枠状の型枠を形成し、その型枠の隅部を成す外周方向で隣り合う各型枠パネルの端面間をコーナーアングル等の隅部連結部材で連結し（１日目）、この型枠内にコンクリートを打設する（２日目）。
【０００４】
次に、第１区画Ａのコンクリートを養生させ、第１区画Ａのコンクリート２０１に一定の強度が発現した後、隅部連結部材を取り外し、第１区画Ａの型枠を構成する型枠パネルに第２区画用の型枠パネル１０２を連続配置に連結し、第２区画用型枠を形成するとともに、第１区画用型枠の第２区画側の型枠パネルを取り外し（４日目）、第１区画Ａのコンクリート２０１の側面を型枠として第２区画Ｂにコンクリート２０２を打ち継ぐようになっている（５日目）。
【先行技術文献】
【特許文献】
【０００５】
【特許文献１】特開２００７−１０７１８６号公報
【発明の概要】
【発明が解決しようとする課題】
【０００６】
しかしながら、上述の如き従来の技術では、第１区画Ａと隣接する他方の区画（以下、第３区画という）Ｃに第２区画Ｂに続いてコンクリートを打設しようとすると、図１０に示すように、第２区画Ｂと第３区画Ｃとが互いに交わる隅部で第２区画用型枠パネル１０２と第３区画用型枠パネル１０３とが互いに干渉するため、第２区画用型枠パネル１０２を使用した状態、即ち、第２区画のコンクリート養生中には、第３区画用型枠パネル１０３を設置できない。
【０００７】
そのため、第３区画用の型枠パネル１０３は、図１０のようには設置せず、従来、第２区画Ｂのコンクリート２０２を養生させ（６日目）、第２区画Ｂのコンクリート２０２に一定の強度が発現し、第２区画用の型枠パネル１０２を脱型した後に第３区画用型枠パネル１０３を組み立て（７日目）、その後、第３区画Ｃにコンクリートを打設するようになっていたため（８日目）、第１区画の互いに隣り合う外周面側に隣接した各区画のうち、先にコンクリートが打設された一方の区画のコンクリート養生期間中に他方の区画の型枠を組み立てることができない。すなわち、次工程へ進む前に待機する期間が発生し、その分工期が長期化するという問題があった。
【０００８】
また、第３区画用型枠パネル１０３を仮に図１０のように設置すると、第４区画Ｄ側の第２区画用型枠パネル１０２が脱型できなくなり、型枠の組み立て・撤去作業の効率が悪くなり、型枠パネルの転用が阻害されるという問題があった。
【０００９】
そこで、本発明は、このような従来の問題に鑑み、型枠パネルを効率よく組み立てることができ、工期の短縮を図ることができるコンクリート構造体の構築方法の提供を目的としてなされたものである。
【課題を解決するための手段】
【００１０】
上述の如き従来の問題を解決するための請求項1に記載の発明の特徴は、格子状に分割された区画毎にコンクリートを打設するコンクリート構造体の構築方法において、コンクリートを打設した第１区画の互いに隣り合う外周面側にそれぞれ隣接する第２区画及び第３区画に型枠を組み立てるに際し、型枠継板部とパネル支持板部とからなる断面Ｌ字状のＬ字状部材を使用し、前記型枠継板部が前記第１区画のコンクリートの第３区画側端面と連続し、且つ、前記パネル支持板部が第２区画側に配置されるように前記Ｌ字状部材を前記第２区画と第３区画とが交わる隅部に設置し、前記パネル支持板部に第２区画用型枠パネルの側端面を当接させた状態で着脱可能に固定するとともに、第３区画用型枠パネルの側端面を前記型枠継板部に突き合わせた状態に設置するコンクリート構造体の構築方法にある。
【００１１】
請求項２に記載の発明の特徴は、請求項１の構成に加え、前記第１区画に打設したコンクリートを養生しつつ、前記Ｌ字状部材を、第２区画側の第１区画用型枠パネルの側端面と第３区画側の第１区画用型枠パネルの側端面とが成す隅部であって前記第２区画と第３区画とが交わる隅部に、前記第２区画側の第１区画用型枠パネルの側端面に前記型枠継板部を当接させた状態に設置するとともに、前記第２区画用型枠パネル及び第３区画用型枠パネルを設置し、然る後、前記第２区画側及び第３区画側の第１区画用型枠パネルを脱型して前記第２区画及び第３区画にコンクリートを打設することにある。
【００１２】
請求項３に記載の発明の特徴は、請求項１又は２の構成に加え、前記第２区画に打設したコンクリートを養生しつつ、前記第３区画にコンクリートを打設し、然る後、前記第３区画に打設したコンクリートの養生中に前記第２区画用型枠パネルを脱型することにある。
【００１３】
請求項４に記載の発明の特徴は、請求項１〜３の何れか１項の構成に加え、前記型枠継板部の幅を前記第３区画用型枠パネルの厚みより広く形成し、前記第３区画用型枠パネルの厚み方向設置位置を前記型枠継板に沿って調節することにある。
【００１４】
請求項５に記載の発明の特徴は、請求項１〜４の何れか１項の構成に加え、前記Ｌ字状部材を前記型枠継板部の一部が前記第３区画側端面に被さるように設置することにある。
【００１５】
請求項６に記載の発明の特徴は、請求項１〜５の何れか１項の構成に加え、前記型枠継板部の幅を前記第２区画用型枠パネルの設置位置に合わせて調節しておくことにある。
【発明の効果】
【００１６】
本発明に係るコンクリート構造体の構築方法は、上述したように、格子状に分割された区画毎にコンクリートを打設するコンクリート構造体の構築方法において、コンクリートを打設した第１区画の互いに隣り合う外周面側にそれぞれ隣接する第２区画及び第３区画に型枠を組み立てるに際し、型枠継板部とパネル支持板部とからなる断面Ｌ字状のＬ字状部材を使用し、前記型枠継板部が前記第１区画のコンクリートの第３区画側端面と連続し、且つ、前記パネル支持板部が第２区画側に配置されるように前記Ｌ字状部材を前記第２区画と第３区画とが交わる隅部に設置し、前記パネル支持板部に第２区画用型枠パネルの側端面を当接させた状態で着脱可能に固定するとともに、第３区画用型枠パネルの側端面を前記型枠継板部に突き合わせた状態に設置することにより、第１区画に対し互いに交差する方向で隣接する区画に使用する型枠パネルを同時に設置することが可能となる。さらに、第３区画のコンクリートの養生期間中に第４区画側の第２区画用型枠パネルの脱型が可能となるため、効率よく型枠の組み立て・撤去作業を行うことができ、また、型枠パネルの転用率の向上を図ることができる。
【００１７】
また、本発明において、前記第１区画に打設したコンクリートを養生しつつ、前記Ｌ字状部材を、第２区画側の第１区画用型枠パネルの側端面と第３区画側の第１区画用型枠パネルの側端面とが成す隅部であって前記第２区画と第３区画とが交わる隅部に、前記第２区画側の第１区画用型枠パネルの側端面に前記型枠継板部を当接させた状態に設置するとともに、前記第２区画用型枠パネル及び第３区画用型枠パネルを設置し、然る後、前記第２区画側及び第３区画側の第１区画用型枠パネルを脱型して前記第２区画及び第３区画にコンクリートを打設することにより、第１区画のコンクリート養生中に第２区画及び第３区画の型枠設置を行え、工期の短縮を図ることができる。
【００１８】
更に、本発明において、前記第２区画に打設したコンクリートを養生しつつ、前記第３区画にコンクリートを打設し、然る後、前記第３区画に打設したコンクリートの養生中に前記第２区画用型枠パネルを脱型することにより、工期の短縮を図ることができるとともに、型枠パネルの転用率向上を図ることができる。
【００１９】
また、本発明において、前記型枠継板部の幅を前記第３区画用型枠パネルの厚みより広く形成することにより、前記第３区画用型枠パネルの側端面を前記型枠継板に当接させつつ、第３区画用型枠パネルの厚み方向の位置決めを容易に行うことができる。
【００２０】
更に、本発明において、前記Ｌ字状部材を前記型枠継板部の一部が前記第３区画側端面に被さるように設置することにより、第１区画と第２区画の継ぎ目を美麗に仕上げることができる。
【００２１】
また、本発明において、前記型枠継板部の幅を前記第２区画用型枠パネルの設置位置に合わせて調節しておくことにより、第２区画用型枠パネルの割付に伴う第２区画用型枠と第１区画とのずれをＬ字状部材で調節することができる。
【図面の簡単な説明】
【００２２】
【図１】本発明に使用するＬ字状部材を示す斜視図である。
【図２】本発明に係るコンクリート構造体の構築方法において第１区画に第１区画用型枠を設置した状態を示す型枠隅部の概略平面図である。
【図３】同上の第１区画にコンクリートを打設した状態を示す型枠隅部の概略平面図である。
【図４】同上の第２区画に型枠を設置した状態を示す概略平面図である。
【図５】図４中の型枠隅部の状態を示す部分拡大横断面図である。
【図６】本発明に係るコンクリート構造体の構築方法において第２区画にコンクリートを打設した状態を示す型枠隅部の概略平面図である。
【図７】同上の第３区画にコンクリートを打設した状態を示す型枠隅部の概略平面図である。
【図８】型枠隅部の状態の他の一例を示す部分拡大横断面図である。
【図９】コンクリート打設範囲を分割してなる区画を示す斜視図である。
【図１０】第２区画と第３区画とに型枠を同時に設置した際の状態を検討するための型枠隅部の概略平面図である。
【発明を実施するための形態】
【００２３】
次に、本発明に係るコンクリート構造体の構築方法の実施態様を図１〜図７に示した実施例に基づいて説明する。尚、上述の実施例と同様の構成には同一符号を付して説明する。
【００２４】
また、図中符号１は、本発明に使用するＬ字状部材であって、このＬ字状部材１は、図１に示すように、鋼製のＬ字型アングル材等によって構成され、矩形状の型枠継板部２と、型枠継板部２の長辺側縁より垂直又は略垂直に突出した矩形状のパネル支持板部３とを一体に備え、型枠継板部２とパネル支持板部３とが断面Ｌ字状を成している。
【００２５】
型枠継板部２は、短手方向幅が後述する各型枠パネルの厚みより長く形成されている。尚、本実施例において型枠パネルの厚みとは、型枠パネルの表裏方向距離をいい、パネル側端面の短手方向幅に等しいものをいう。
【００２６】
型枠パネルは、メタルフォーム等の鋼製型枠部材により構成され、後述する第１区画用型枠パネル１０，１１、第２区画用型枠パネル２０，２４、第３区画用型枠パネル３０は、同様に構成されたものであって、互換性を有するものである。
【００２７】
コンクリート構造体は、例えば、ケーソン式防波堤の上部工等のように場所打ちコンクリートにより構築されるものであって、本発明方法は、図９に示す如く格子状に分割された区画Ａ〜Ｄ毎に現場打ちコンクリートを打設し、互いに隣接する区画間でコンクリートを打ち継ぐようになっている。
【００２８】
尚、本実施例では、はじめにコンクリートを打設する区画或いは既にコンクリートが打設済みの区画を第１区画Ａとし、この第１区画Ａに対し、第１区画Ａの互いに隣り合う外周面側にそれぞれ隣接する一方の区画を第２区画Ｂ、他方の区画を第３区画Ｃとし、第２区画Ｂ及び第３区画Ｃに隣接する区画を第４区画Ｄとする。
【００２９】
本発明方法では、まず、図２に示すように、第１区画Ａを囲むように第１区画用型枠パネル１０，１１を組み立てて設置し、第１区画Ａにコンクリートを打設するための平面視矩形枠状の第１区画用型枠１３を形成する（１日目）。
【００３０】
第１区画用型枠１３を構成する各第１区画用型枠パネル１０，１１は、互いに側端面１０ａ，１１ａが直角又は略直角を成すように突き合わせて設置され、第１区画用型枠１３の各隅には、互いに第１区画Ａの外周方向で隣り合う各第１区画用型枠パネル１０，１１の側端面１０ａ，１１ａによりＬ字状又は逆Ｌ字状に凹んだ隅部１４が形成され、その第１区画用型枠１３の隅部１４にコーナーアングル等の隅部連結部材１５を嵌め込み、各第１区画用型枠パネル１０，１１の側端面１０ａ，１１ａをそれぞれ隅部連結部材１５に着脱可能に固定する。
【００３１】
そして、この状態において、図３に示すように、第１区画用型枠１３に現場打ちによりコンクリート１６を打設し（２日目）、このコンクリート１６を養生させる（３日目）。
【００３２】
次に、第１区画Ａのコンクリート１６に一定の強度が発現した後、第２区画Ｂ及び第３区画Ｃに接した隅部１４の隅部連結部材１５を取り外すとともに、第１区画用型枠パネル１０，１１を脱型し、図４に示すように、第１区画Ａと隣接する第２区画Ｂに型枠２３を組み立てる（４日目）。
【００３３】
第２区画Ｂに型枠２３を組み立てるには、図４、図５に示すように、Ｌ字状部材１を第２区画Ｂと第３区画Ｃとが交わる隅部１４に設置する。
【００３４】
このＬ字型部材１は、型枠継板部２の外側面が第１区画Ａのコンクリート１６の第３区画側端面と連続し、且つ、パネル支持板部３が第２区画側に配置されるように設置する。
【００３５】
そして、パネル支持板部３には、第２区画用型枠パネル２０の側端面２０ａをパネル支持板部３の外側面に当接させた状態で着脱可能に固定し、第２区画用型枠パネル２０を型枠継板部２と連続して設置する。
【００３６】
尚、パネル支持板部３に対する第２区画用型枠パネル２０の固定には、図５に示すように、Ｕ字クリップ等の固定具２１を使用し、第２区画用型枠パネル２０をＬ字状部材１に対し容易に着脱できるようにしている。
【００３７】
また、型枠継板部２の幅を第２区画用型枠パネル２０の設置位置に整合させて調節しておくことにより、第２区画Ｂを囲む各第２区画用型枠パネル２０、２４の配置（割付け）に伴う第１区画Ａとの位置調整、即ち、第２区画用型枠パネル２４と第１区画の既設コンクリート１６との間の距離の調整をＬ字状部材１で行うようになっている。
【００３８】
また、Ｌ字状部材１は、図５に示すように、型枠継板部２の一部、即ち、短手方向端縁部２ａを第１区画Ａの既設コンクリート１６の第３区画側端面に被せるように設置することにより、上記位置調整が行い易く、また、第１区画と第２区画とのコンクリートの継ぎ目を好適に仕上げることができる。
【００３９】
そして、第２区画Ｂにおける型枠の組立てが完了した後、図６に示すように、第２区画Ｂにコンクリート２２を打設する（５日目）。
【００４０】
一方、第２区画Ｂの型枠２３の設置と同時又は第２区画Ｂのコンクリート打設からコンクリート養生中の期間に第３区画用型枠パネル３０を設置する。
【００４１】
この第３区画用型枠パネル３０は、その側端面３０ａを型枠継板部２に突き合わせた状態で設置し、型枠継板部２に沿って第３区画用型枠パネル３０の厚み方向位置を微調整する。
【００４２】
そして、第３区画Ｃにおける型枠の組立てが完了した後、第２区画Ｂのコンクリート２２を養生しつつ、図６に示すように、第３区画Ｃにコンクリート３１を打設する（６日目）。
【００４３】
このように構成された本発明方法では、Ｌ字状部材１を隅部１４に介在させたことによって、第２区画用型枠パネル２０と第３区画用型枠パネル３０とが隅部１４において互いに邪魔せず、第１区画Ａに対しその互いに隣り合う外側面側にそれぞれ隣接する第２区画Ｂ及び第３区画Ｃに同時に型枠を設置することができる。
【００４４】
また、本発明方法では、第３区画Ｃのコンクリート３１が養生中であっても、第４区画Ｄ側の第２区画用型枠パネル２０をＬ字状部材１より取り外すことで、第４区画Ｄ側の第２区画用型枠パネル２０を脱型することもできる。
【００４５】
それによって、第３区画Ｃのコンクリート３１の養生期間中であっても、第２区画Ｂの脱型作業や第４区画Ｄの型枠設置作業を行え、効率よく型枠の組立て・撤去作業を行うことで更なる工期短縮を図れ、更には、第２区画用型枠パネル２０を他の区画やその他の施工の使用に回すことが可能となり、型枠パネルの転用率が向上する。
【００４６】
尚、上述の実施例では、第１区画用型枠パネル１０，１１を脱型した後、Ｌ字状部材１、第２区画用型枠パネル２０及び第３区画用型枠パネル３０を設置した例について説明したが、図８に示すように、Ｌ字状部材１を、第２区画側の第１区画用型枠パネル１０の側端面１０ａと第３区画側の第１区画用型枠パネル１１の側端面１１ａとが成す隅部１４であって第２区画Ｂと第３区画Ｃとが交わる隅部に、第２区画側の第１区画用型枠パネル１０の側端面１０ａに型枠継板部２を当接させた状態に設置し、第１区画Ａのコンクリート１６を養生しつつ、第２区画用型枠パネル２０及び第３区画用型枠パネル３０を設置し、その後、第２区画側及び第３区画側の第１区画用型枠パネル１０，１１を脱型して第２区画Ｂ及び第３区画Ｃにコンクリート２２，３１を打設するようにしてもよい。
【００４７】
その場合、第１区画Ａのコンクリート１６の養生中に第２区画Ｂ及び第３区画Ｃの型枠の組立てを行うので、更なる工期の短縮を図ることができる。
【００４８】
尚、上記実施例では、２行２列の格子状に４分割した各区画にコンクリートを打設した例について説明したが、各区画の設定は、これに限定されず、コンクリート打設範囲を格子状に分割する場合全てに適用することができる。
【００４９】
また、上記実施例においては、第1区画Ａ〜第４区画Ｄに一連の作業で順次コンクリートを打設する場合について説明したが、本発明は、第１区画のコンクリート１６が、例えば完成後数年経過した状態にあって、その周囲の第２区画Ｂ〜第４区画Ｄにコンクリート構造体を増設する場合にも適用することができる。
【００５０】
また、上記実施例において「何日目」と記載しているのは、本発明方法と従来例とを比較するために表示したものであって、コンクリートの養生や型枠組立てに要する作業日数や工程等を限定するものではない。
【符号の説明】
【００５１】
Ａ  第１区画
Ｂ  第２区画
Ｃ  第３区画
Ｄ  第４区画
１  Ｌ字状部材
２  型枠継板部
３  パネル支持板部
１０，１１  第１区画用型枠パネル
１３  第１区画用型枠
１４  隅部
１５  隅部連結部材
１６  コンクリート
２０  第２区画用型枠パネル
２１  固定具
２２  コンクリート
２３  第２区画用型枠
２４  第２区画用型枠パネル
３０  第３区画用型枠パネル
３１  コンクリート
【図１】
0006350942.tif 000002
【図２】
0006350942.tif 000003
【図３】
0006350942.tif 000004
【図４】
0006350942.tif 000005
【図５】
0006350942.tif 000006
【図６】
0006350942.tif 000007
【図７】
0006350942.tif 000008
【図８】
0006350942.tif 000009
【図９】
0006350942.tif 000010
【図１０】
0006350942.tif 000011